(57)【要約】【課題】  様々な寸法や形状の被洗浄物を被洗浄位置に支持することができるにも拘らず、使用及び管理が簡易な洗浄装置用の支持具を提供する。【解決手段】  支柱２３、２４で被洗浄物を被洗浄位置に位置決めし、支柱２３、２４を通る方向へ延びている支柱２２に沿って押え部材２６を移動させ、押え部材２６で被洗浄物を支柱２３、２４に向かって押えることができる。このため、押え部材２６が被洗浄物を押える方向及びそれとは反対の方向のみならず、押え部材２６が被洗浄物を押える方向とは垂直の方向へも、被洗浄物の移動が抑制されて、被洗浄物が被洗浄位置に安定的に支持される。従って、様々な寸法や形状の被洗浄物でも、簡易に被洗浄位置に支持することができる。また、この様に様々な寸法や形状の被洗浄物を被洗浄位置に支持することができるので、支持具の種類が少なくてよい。【選択図】  図１
2005254063.tif 000002
【特許請求の範囲】
【請求項１】
被洗浄物を被洗浄位置に支持するための洗浄装置用の支持具において、
前記被洗浄物を前記被洗浄位置に位置決めするための基準部と、
前記基準部を通る方向へ延びている案内レールと、
この案内レールに沿って移動可能であり、前記被洗浄物を前記基準部に向かって押える押え部材と
を具備することを特徴とする洗浄装置用の支持具。
【請求項２】
前記押え部材が前記案内レールの回りに回動可能であり、この回動によって前記押え部材が前記被洗浄位置から退避可能であることを特徴とする請求項１に記載の洗浄装置用の支持具。
【請求項３】
前記案内レールが前記支持のための支柱を兼ねていることを特徴とする請求項１に記載の洗浄装置用の支持具。
【発明の詳細な説明】
【技術分野】
【０００１】
本発明は、被洗浄物を被洗浄位置に支持するための洗浄装置用の支持具に関するものである。
【背景技術】
【０００２】
病院等では、寝たきりの患者等が汚物入れ用の容器等を使用するので、作業者の感染防止や看護の効率化等のために、容器の手洗作業が不要な洗浄装置が用いられている。図６は、下記の非特許文献１に記載されている本発明の第一の従来の形態が用いられている洗浄装置の要部を示している。この洗浄装置１１には洗浄槽１２が備えられており、洗浄槽１２内には噴射水流等を放出するための噴射ノズル（図示せず）等が備えられている。洗浄装置１１の前面には噴射ノズル等を操作するための操作パネル１３（図２）が備えられている。洗浄槽１２は扉１４で開閉され、扉１４の内面に係止部１５が備えられている。
【０００３】
洗浄装置１１には容器１６を被洗浄位置に支持するための支持具１７が用いられており、支持具１７は係止部１５に係止されている。支持具１７は支柱１８を有しており、支柱１８の先端部１９が鉤状に折り曲げられて容器１６の開口部１６ａ内に挿入され且つ支柱１８の外周面が容器１６の底部１６ｂや外周面に当接することによって、支持具１７が容器１６を被洗浄位置に支持する。洗浄装置１１で容器１６を洗浄する際には、支持具１７で容器１６を支持し、扉１４を回動させることによって支持具１７及び容器１６を洗浄槽１２内に位置させると共に洗浄槽１２を閉鎖し、操作パネル１３を操作して噴射ノズルから噴射水流等を放出する。
【０００４】
容器１６の洗浄中は、噴射水流等が容器１６の外周面に供給されるだけではなく、容器１６の開口部１６ａが噴射ノズルの近傍で噴射ノズル側に向くことによって噴射水流等が開口部１６ａから容器１６内へも供給される必要がある。つまり、上述の被洗浄位置とは、容器１６の開口部１６ａが噴射ノズルの近傍で噴射ノズル側に向く様な、支持具１７上における容器１６の位置である。なお、洗浄中に噴射水流等が開口部１６ａから容器１６内へ継続的に供給される様に、容器１６内を洗浄し終わった水等は開口部１６ａから容器１６外へ自重で流出する必要がある。このため、洗浄槽１２の閉鎖状態では開口部１６ａが斜め下方を向く様に支持具１７に対する容器１６の支持角度や扉１４に対する支持具１７の係止角度が設定されており、これに対応して噴射ノズルも斜め上方を向く様にその設置角度が設定されている。
【０００５】
上述の様に洗浄槽１２の閉鎖状態では容器１６の開口部１６ａが斜め下方を向くので、被洗浄位置のうちで容器１６の開口部１６ａの位置は支柱１８の先端部１９によって決定される。ところが、容器１６の寸法や形状は様々であるので、被洗浄位置のうちで容器１６の底部１６ｂや外周面の位置は様々である。もし、支持具１７が予定している容器１６の寸法よりも、洗浄しようとしている容器１６の寸法の方が小さければ、この容器１６は被洗浄位置に安定的には支持されなくて不安定な状態のままである。この不安定な状態で容器１６が洗浄されると、噴射水流等によって容器１６が支持具１７から外れて洗浄そのものを行えなくなったり、容器１６が支持具１７から外れなくても噴射水流等によって容器１６が支持具１７等に対する衝突を繰り返して容器１６が損傷したりする。
【０００６】
そこで、図６に示されている様に支柱１８が複数種類の形状に折り曲げられており、更に、図６に示されている支持具１７とは異なる形状に折り曲げられている支柱１８を有する別の種類の支持具１７も用意されている。つまり、洗浄装置１１で容器１６を洗浄する際には、支持具１７のうちで当該容器１６を支持することのできる形状に折り曲げられている好適な支柱１８を選択してこの支柱１８で当該容器１６を支持するか、好適な支柱１８をその支持具１７が有していなければ、好適な支柱１８を有する別の種類の支持具１７を選択してこの支持具１７を係止部１５で係止し、この支持具１７の支柱１８で当該容器１６を支持する。
【非特許文献１】「ベッドパンウォッシャー」アトムメディカル株式会社  ２００２年１１月
【０００７】
一方、下記の特許文献１に記載されている本発明の第二の従来の形態では、洗浄装置用の支持具の両側にアーム状の押え部材が備えられており、被洗浄物の横断面内で押え部材が回動して、押え部材の先端部が被洗浄物を弾性的に押える。従って、この洗浄装置用の支持具では、被洗浄物の寸法や形状に多少の変動があっても、被洗浄物を被洗浄位置に安定的に支持することができる。
【特許文献１】実公昭４９−３３５１４号公報
【発明の開示】
【発明が解決しようとする課題】
【０００８】
しかし、上記の非特許文献１に記載されている洗浄装置１１で容器１６を洗浄する際に、支持具１７のうちで好適な支柱１８を選択してこの支柱１８で容器１６を支持したり、好適な支柱１８を有する支持具１７を複数種類の支持具１７の中から選択してこの支持具１７を係止部１５で係止したりすることは、煩雑である。また、複数種類の支持具１７を管理することも、煩雑である。更に、上記の非特許文献１に記載されている洗浄装置用の支持具では、押え部材の位置が固定されているので、長さの短過ぎる被洗浄物や径の細過ぎる被洗浄物を被洗浄位置に支持することができない。従って、本発明は、様々な寸法や形状の被洗浄物を被洗浄位置に支持することができるにも拘らず、使用及び管理が簡易な洗浄装置用の支持具を提供することを目的としている。
【課題を解決するための手段】
【０００９】
請求項１に係る洗浄装置用の支持具では、基準部で被洗浄物を被洗浄位置に位置決めし、基準部を通る方向へ延びている案内レールに沿って押え部材を移動させ、押え部材で被洗浄物を基準部に向かって押えることができる。このため、押え部材が被洗浄物を押える方向及びそれとは反対の方向のみならず、押え部材が被洗浄物を押える方向とは垂直の方向へも、被洗浄物の移動が抑制されて、被洗浄物が被洗浄位置に安定的に支持される。従って、様々な寸法や形状の被洗浄物でも、簡易に被洗浄位置に支持することができる。また、この様に様々な寸法や形状の被洗浄物を被洗浄位置に支持することができるので、支持具の種類が少なくてよい。
【００１０】
請求項２に係る洗浄装置用の支持具では、押え部材が案内レールの回りに回動することによって、被洗浄物の被洗浄位置から押え部材が退避可能である。このため、押え部材で基準部に向かって押えなくても支持することができるほどに大きい被洗浄物でも、押え部材を支持具から取り外すことなく、被洗浄位置に支持することができる。
【００１１】
請求項３に係る洗浄装置用の支持具では、案内レールが支持のための支柱を兼ねているので、案内レールと支持のための支柱とが別個である場合に比べて、支持具の全体的な構成が簡易である。
【発明の効果】
【００１２】
請求項１に係る洗浄装置用の支持具では、様々な寸法や形状の被洗浄物でも、簡易に被洗浄位置に支持することができるので、支持具の使用が簡易である。また、支持具の種類が少なくてよいので、支持具の管理が簡易である。
【００１３】
請求項２に係る洗浄装置用の支持具では、押え部材で基準部に向かって押えなくても支持することができるほどに大きい被洗浄物でも、押え部材を支持具から取り外すことなく、被洗浄位置に支持することができるので、支持具の使用が更に簡易である。
【００１４】
請求項３に係る洗浄装置用の支持具では、支持具の全体的な構成が簡易であるので、支持具の使用が更に簡易であり且つ製造経費も少なくてよい。
【発明を実施するための最良の形態】
【００１５】
以下、本発明を実施するための一つの形態を、図１〜５を参照しながら説明する。図１、２は、本発明を実施するための一つの形態が用いられている洗浄装置の夫々全体及び要部を示している。この洗浄装置１１自体は図６に示されている洗浄装置１１と同じものであり、従って、洗浄装置１１には洗浄槽１２が備えられており、洗浄装置１１の前面に操作パネル１３が備えられており、洗浄槽１２は扉１４で開閉され、扉１４の内面に係止部１５が備えられている。
【００１６】
しかし、容器１６を被洗浄位置に支持するために洗浄装置１１に用いられている支持具２１は、図６に示されている支持具１７とは異なっている。支持具２１は、金属等で形成されており、互いに並行に延びている複数の支柱２２と、これらの支柱２２の一端側で支柱２２と垂直に延びている支柱２３と、この支柱２３から支柱２２と並行に延びている複数の短い支柱２４と、支柱２２の他端側で支柱２２と垂直に且つ支柱２３と並行に延びている支柱２５等とを有している。これらの支柱２２〜２５の何れもが円柱状である。複数の支柱２２のうちで支柱２４に対応する支柱２２には、押え部材２６が取り付けられている。
【００１７】
図３に示されている様に、押え部材２６は支軸２７によって互いに回動可能に結合されているレバー部２８、２９を有しており、レバー部２８、２９には夫々円形の貫通孔３１、３２が設けられている。貫通孔３１、３２の軸心はレバー部２８、２９のうちでこれらの貫通孔３１、３２が設けられている部分に垂直であり、貫通孔３１、３２に支柱２２が挿入されている。レバー部２８、２９の対向面には夫々バネガイド３３、３４が設けられており、これらのバネガイド３３、３４に圧縮コイルバネ３５が架け渡されている。レバー部２８にはパッド軸３６が取り付けられており、軟質の合成樹脂等から成る緩衝用のパッド３７がパッド軸３６に取り付けられている。パッド３７が容器１６に当接する時に容器１６への吸着を防止するために、パッド３７には通気孔３７ａが設けられている。
【００１８】
図４に示されている状態の押え部材２６では、貫通孔３１のレバー部２９とは反対側の周縁のうちで支軸２７から最も離隔している部分である周縁部３１ａが支柱２２の外周面に当接しており、貫通孔３１のレバー部２９側の周縁のうちで支軸２７に最も近接している部分である周縁部３１ｂも支柱２２の外周面に当接している。貫通孔３２のレバー部２８とは反対側の周縁のうちで支軸２７から最も離隔している部分である周縁部３２ａも支柱２２の外周面に当接しているが、貫通孔３２のレバー部２８側の周縁のうちで支軸２７に最も近接している部分である周縁部３２ｂは支柱２２の外周面から離隔している。
【００１９】
圧縮コイルバネ３５の弾性反発力によって、レバー部２８、２９は支軸２７を中心として互いに離隔する方向へ回動する様につまりレバー部２８、２９間の角度が大きくなる様に付勢されているが、周縁部３１ａ、３２ａが支柱２２の外周面に当接しているので、レバー部２８、２９間の角度は図４に示されている角度よりも大きくはならない。また、周縁部３１ｂが支柱２２の外周面に当接しているので、レバー部２８がレバー部２９に接近する方向へ外力を受けても、レバー部２８は支軸２７を中心としてレバー部２９に接近する方向へ回動しない。
【００２０】
つまり、図４に示されている断面内では周縁部３１ａ、３１ｂ、３２ａの三点の位置が固定されているので、図３に示されている様にパッド３７が容器１６に当接しており容器１６を介して噴射水流等のためにレバー部２９に接近する方向へレバー部２８が外力を受けても、押え部材２６の姿勢が変わることも押え部材２６が支柱２２の軸心方向へ移動することもない。また、周縁部３１ａ、３１ｂ、３２ａと支柱２２の外周面との摩擦のために、押え部材２６が支柱２２の回りに回動することも抑制されている。
【００２１】
一方、周縁部３２ｂが支柱２２の外周面から離隔しているので、レバー部２９がレバー部２８に接近する方向へ外力を受けると、レバー部２９は支軸２７を中心としてレバー部２８に接近する方向へ回動する。この回動の結果、図５に示されている様に周縁部３２ａが支柱２２の外周面から離隔するので、この状態でレバー部２８、２９の両方をレバー部２９の元の位置の方向へ回動させると、周縁部３１ａ、３１ｂの少なくとも一方が支柱２２の外周面から離隔する。従って、この状態で押え部材２６を支柱２２に対して摺動させることによって、押え部材２６を支柱２２に沿って移動させることができる。
【００２２】
つまり、支持具２１のうちの支柱２２が、押え部材２６の案内レールになっている。また、支柱２２が円柱状であり且つ貫通孔３１、３２が円形であるので、押え部材２６を支柱２２に沿って移動させることができる状態にあれば、支柱２２の軸心の回りに押え部材２６を回動させることもできる。上述の様に、レバー部２８がレバー部２９に接近する方向へ外力を受けてもレバー部２８は支軸２７を中心としてレバー部２９に接近する方向へ回動しないが、レバー部２９がレバー部２８に接近する方向へ外力を受けるとレバー部２９は支軸２７を中心としてレバー部２８に接近する方向へ回動する。従って、押え部材２６を支柱２２に沿って移動させるために、レバー部２９がレバー部２８に接近する方向へレバー部２９に外力を与えるためには、圧縮コイルバネ３５の弾性反発力に抗してレバー部２８、２９の両方を手で握ればよい。
【００２３】
なお、図４に示されている様な、貫通孔３１の直径Ａ、周縁部３１ｂと支軸２７の軸心との間の距離Ｂ、貫通孔３２の直径Ｃ、及び周縁部３２ｂと支軸２７の軸心との間の距離Ｄを選択することによって、レバー部２８、２９間の角度、及びレバー部２８、２９と支柱２２の横断面との角度を選択することができる。但し、レバー部２８、２９間の角度が大き過ぎるとこれらのレバー部２８、２９を手で握りにくいので、支柱２２の横断面との角度が大きいレバー部２８はその途中で折り曲げられている。
【００２４】
以上の様な支持具２１が用いられている洗浄装置１１で容器１６を洗浄する際には、まず、容器１６の開口部１６ａ（図６）を支柱２４に外挿し、開口部１６ａの周縁部を支柱２３に当接させることによって容器１６を被洗浄位置に位置決めする。つまり、支持具２１のうちの支柱２３、２４が、容器１６を被洗浄位置に位置決めするための基準部になっている。そして、圧縮コイルバネ３５の弾性反発力に抗して押え部材２６におけるレバー部２８、２９の両方を手で握り、図５の状態になっている押え部材２６を容器１６に接近する方向へ支柱２２に沿って移動させる。
【００２５】
押え部材２６のパッド３７が容器１６の底部１６ｂに当接すると、その後に、圧縮コイルバネ３５の弾性反発力に抗してレバー部２８、２９の両方を手で握ることを解除する。この解除の結果、圧縮コイルバネ３５の弾性反発力によってレバー部２８、２９同士が相対的に離隔し、押え部材２６が図４の状態になるとこの押え部材２６が支柱２２に固定されて、押え部材２６が容器１６を支柱２３に向かって押える。容器１６の径が大きければ、この状態で支柱２２の外周面が容器１６の外周面に当接しており、支柱２２も容器１６を支持している。その後は、図６に示されている洗浄装置１１の場合と同様に、扉１４を回動させることによって支持具２１及び容器１６を洗浄槽１２内に位置させると共に洗浄槽１２を閉鎖し、操作パネル１３を操作して噴射ノズルから噴射水流等を放出する。
【００２６】
容器１６の洗浄が終了すると、上述の一連の操作とは逆の操作を行って、洗浄済の容器１６を洗浄装置１１から取り出す。もし容器１６の長さが支柱２３、２５間の距離に等しければ、支柱２２〜２５のみで容器１６を支持することができるので、押え部材２６が不要であるだけでなく、図１に示されている様に支柱２２が並んでいる面に対して立っている押え部材２６は容器１６の支持の障害になる。しかし、上述の様に、押え部材２６は支柱２２の軸心の回りに回動可能である。従って、圧縮コイルバネ３５の弾性反発力に抗して押え部材２６におけるレバー部２８、２９の両方を手で握り、図５の状態になっている押え部材２６を支柱２２の軸心の回りに回動させて、支柱２２が並んでいる面の近傍まで押え部材２６を倒すことによって、押え部材２６を容器１６の被洗浄位置から退避させて、押え部材２６が容器１６の支持の障害になることを回避することができる。
【００２７】
なお、以上の支持具２１では支柱２２の軸心の回りに押え部材２６を回動させることができるが、例えば、支柱２３、２５間の距離が容器１６の長さに比べて十分に長ければ、押え部材２６が容器１６の支持の障害になることはないので、必ずしも支柱２２の軸心の回りに押え部材２６を回動させることができなくてもよい。また、以上の支持具２１では容器１６を支持するための支柱２２が押え部材２６の案内レールにもなっているが、押え部材２６の案内レールが容器１６を支持するための支柱２２とは別に備えられていてもよい。また、以上の支持具２１では緩衝用のパッド３７が取り付けられているが、このパッド３７は必ずしも必要ではない。また、以上の支持具２１は汚物入れ用の容器１６を洗浄する際の支持のために用いられているが、洗浄の必要なその他のもの、例えば薬品を収容する容器等の支持にも支持具２１を用いることができる。
【産業上の利用可能性】
【００２８】
本発明による洗浄装置用の支持具では、様々な寸法や形状の被洗浄物でも簡易に被洗浄位置に支持することができるので、多くの種類の被洗浄物を洗浄する必要のある洗浄装置に特に好適に利用することができる。
【図面の簡単な説明】
【００２９】
【図１】本発明の一つの形態が用いられており洗浄槽が開放されている状態の洗浄装置の要部を示す斜視図である。
【図２】本発明の一つの形態が用いられており洗浄槽が開放されている状態の洗浄装置の全体を示す斜視図である。
【図３】被洗浄物を支持している状態にある本発明の一つの形態を示す側断面図である。
【図４】案内レールに固定されている状態にある本発明の一つの形態の要部を示す拡大側断面図である。
【図５】案内レールに対して移動及び回動可能な状態にある本発明の一つの形態の要部を示す拡大側断面図である。
【図６】本発明の第一の従来の形態が用いられており洗浄槽が開放されている状態の洗浄装置の要部を示す斜視図である。
【符号の説明】
【００３０】
１１    洗浄装置
１６    容器（被洗浄物）
２１    支持具
２２    支柱（案内レール）
２３    支柱（基準部）
２４    支柱（基準部）
２６    押え部材
【図１】
2005254063.tif 000003
【図２】
2005254063.tif 000004
【図３】
2005254063.tif 000005
【図４】
2005254063.tif 000006
【図５】
2005254063.tif 000007
【図６】
2005254063.tif 000008